【手続補正書】
【提出日】平成25年8月2日(2013.8.2)
【手続補正１】
【補正対象書類名】特許請求の範囲
【補正対象項目名】全文
【補正方法】変更
【補正の内容】
【特許請求の範囲】
【請求項１】
コネクタソケットに着脱可能なコネクタプラグであって、プラグ本体部と、前記プラグ本体部と別部品で形成されると共に前記プラグ本体に着脱可能なラッチ部とを備え、
前記プラグ本体部は、前記コネクタプラグの前記コネクタソケットへの装着方向に対して垂直な方向に沿って形成されたラッチ挿入溝を備え、
前記ラッチ部は、
前記垂直な方向に沿って前記ラッチ挿入溝に挿入される挿入部分を有すると共に前記プラグ本体部に支持される弾性変形可能な一対の支持板と、
前記一対の支持板の前記挿入部分を相互に接続する接続板と、
前記一対の支持板のそれぞれの前記挿入部分と反対側に接続部分を介して接続される一対の押圧板とを備え、
前記一対の支持板、前記接続板、及び、前記一対の押圧板が、一体で構成されており、
前記一対の押圧板は、それぞれ、
前記装着方向と反対方向側の一端に、ユーザによって押圧操作される押圧部分と、
前記装着方向側の他端に、前記コネクタプラグの前記コネクタソケットへの係止のため互いに対向する方向に突出する係止爪とを備えたことを特徴とするコネクタプラグ。
【請求項２】
コネクタソケットに着脱可能なコネクタプラグであって、プラグ本体部と、前記プラグ本体部と別部品で形成されると共に前記プラグ本体に着脱可能なラッチ部とを備え、
前記プラグ本体部は、前記コネクタプラグの前記コネクタソケットへの装着方向に対して垂直な方向に沿って形成されたラッチ挿入溝を備え、
前記ラッチ部は、
前記垂直な方向に沿って前記ラッチ挿入溝に挿入される挿入部分を有すると共に前記プラグ本体部に支持される弾性変形可能な一対の支持板と、
前記一対の支持板の前記挿入部分を相互に接続する接続板と、
前記一対の支持板のそれぞれの前記挿入部分と反対側に接続部分を介して接続される一対の押圧板とを備え、
前記一対の支持板、前記接続板、及び、前記一対の押圧板が、一体で構成されており、
前記一対の押圧板は、それぞれ、
前記装着方向と反対方向側の一端に、ユーザによって押圧操作される押圧部分と、
前記装着方向側の他端に、前記コネクタプラグの前記コネクタソケットへの係止のため互いに対向する方向に突出する係止爪とを備え、
前記一対の支持板は、それぞれ、
前記ラッチ挿入溝に挿入された挿入部分から、前記装着方向と反対方向に関して広がるように傾斜して形成されていることを特徴とするコネクタプラグ。
【請求項３】
請求項１又は２に記載のコネクタプラグを有する照明ランプと、
前記コネクタプラグが装着されるコネクタソケットを有するベース部材とを備えたことを特徴とする照明装置。
【手続補正２】
【補正対象書類名】明細書
【補正対象項目名】発明の名称
【補正方法】変更
【補正の内容】
【発明の名称】コネクタプラグ及び照明装置
【手続補正３】
【補正対象書類名】明細書
【補正対象項目名】０００１
【補正方法】変更
【補正の内容】
【０００１】
本発明は、コネクタソケットに着脱可能なコネクタプラグ、及び、このコネクタプラグを適用した照明装置に関するものである。 
【手続補正４】
【補正対象書類名】明細書
【補正対象項目名】０００６
【補正方法】変更
【補正の内容】
【０００６】
本発明の目的は、コネクタプラグのコネクタソケットへの装着や、この装着を解除する際の操作性を向上させることができ、かつ確実な装着が可能な、コネクタプラグ及び照明装置を提供することである。 
【手続補正５】
【補正対象書類名】明細書
【補正対象項目名】０００７
【補正方法】変更
【補正の内容】
【０００７】
第１の発明に係るコネクタプラグは、コネクタソケットに着脱可能なコネクタプラグであって、プラグ本体部と、前記プラグ本体部と別部品で形成されると共に前記プラグ本体に着脱可能なラッチ部とを備え、前記プラグ本体部は、前記コネクタプラグの前記コネクタソケットへの装着方向に対して垂直な方向に沿って形成されたラッチ挿入溝を備え、前記ラッチ部は、前記垂直な方向に沿って前記ラッチ挿入溝に挿入される挿入部分を有すると共に前記プラグ本体部に支持される弾性変形可能な一対の支持板と、前記一対の支持板の前記挿入部分を相互に接続する接続板と、前記一対の支持板のそれぞれの前記挿入部分と反対側に接続部分を介して接続される一対の押圧板とを備え、前記一対の支持板、前記接続板、及び、前記一対の押圧板が、一体で構成されており、一対の押圧板は、それぞれ、前記装着方向と反対方向側の一端に、ユーザによって押圧操作される押圧部分と、前記装着方向側の他端に、コネクタプラグのコネクタソケットへの係止のため互いに対向する方向に突出する係止爪とを備えている。
第２の発明に係るコネクタプラグは、コネクタソケットに着脱可能なコネクタプラグであって、プラグ本体部と、前記プラグ本体部と別部品で形成されると共に前記プラグ本体に着脱可能なラッチ部とを備え、前記プラグ本体部は、前記コネクタプラグの前記コネクタソケットへの装着方向に対して垂直な方向に沿って形成されたラッチ挿入溝を備え、前記ラッチ部は、前記垂直な方向に沿って前記ラッチ挿入溝に挿入される挿入部分を有すると共に前記プラグ本体部に支持される弾性変形可能な一対の支持板と、前記一対の支持板の前記挿入部分を相互に接続する接続板と、前記一対の支持板のそれぞれの前記挿入部分と反対側に接続部分を介して接続される一対の押圧板とを備え、前記一対の支持板、前記接続板、及び、前記一対の押圧板が、一体で構成されており、一対の押圧板は、それぞれ、前記装着方向と反対方向側の一端に、ユーザによって押圧操作される押圧部分と、前記装着方向側の他端に、コネクタプラグのコネクタソケットへの係止のため互いに対向する方向に突出する係止爪とを備え、前記一対の支持板は、それぞれ、前記ラッチ挿入溝に挿入された挿入部分から、前記装着方向と反対方向に関して広がるように傾斜して形成されている。 
【手続補正６】
【補正対象書類名】明細書
【補正対象項目名】０００８
【補正方法】変更
【補正の内容】
【０００８】
第２の発明に係るコネクタプラグでは、ユーザによって押圧操作される押圧部分を一端に設けた押圧板を備え、押圧板に接続される支持板は、ラッチ挿入溝に挿入された挿入部分（プラグ本体部への支持部分）から、装着方向と反対方向に関して広がるように傾斜して形成されているので、押圧板における支持板との接続部分を、ユーザによって押圧操作される押圧部分側に寄せることができる。すなわち、支持板がコネクタプラグのコネクタソケットへの装着方向に対して垂直な方向に延在するような場合と比べて、係止爪の変位量を大きくすることができる。その結果、係止爪を大きくあるいは鋭角を持った形状とすることが容易であり、確実なコネクタプラグの装着が行え落下防止等、安全性の高いコネクタプラグを提供することができる。 
【手続補正７】
【補正対象書類名】明細書
【補正対象項目名】０００９
【補正方法】変更
【補正の内容】
【０００９】
しかも、第１及び第２の発明に係るコネクタプラグでは、押圧板他端の係止爪が互いに対向する方向に突出しているので、コネクタプラグを装着方向と反対方向に引っ張っても、支点と作用点の間の距離を一定に保とうとする力が作用し、コネクタソケット側に向かって食い込もうとする。これによって、コネクタプラグがコネクタソケットから外れることをさらに強固に阻止できる。 
【手続補正８】
【補正対象書類名】明細書
【補正対象項目名】００１０
【補正方法】変更
【補正の内容】
【００１０】
また、第２の発明に係るコネクタプラグでは、押圧板に接続する支持板は、ラッチ挿入溝に挿入された挿入部分（プラグ本体部への支持部分）から、装着方向と反対方向に関して広がるように傾斜して形成されているので、支持板の長さを長くすることができ、支持板の弾性変位量を増加させ、支持板をより撓み易くできる。その結果、コネクタプラグのコネクタソケットへの装着や、この装着を解除する際の操作性を向上させることができる。 
【手続補正９】
【補正対象書類名】明細書
【補正対象項目名】００１１
【補正方法】変更
【補正の内容】
【００１１】
本発明に係るコネクタプラグは、好適には、プラグ本体部は、筒状部と、筒状部の外周部に形成され、筒状部から前記装着方向に凸状に延在するプラグ凸部とを備え、プラグ凸部に、ラッチ挿入溝が形成されている。 
【手続補正１０】
【補正対象書類名】明細書
【補正対象項目名】００１３
【補正方法】変更
【補正の内容】
【００１３】
本発明に係るコネクタプラグは、好適には、一対の押圧板は、それぞれ、前記装着方向と反対方向に関して広がるように傾斜して形成されている。 
【手続補正１１】
【補正対象書類名】明細書
【補正対象項目名】００１４
【補正方法】変更
【補正の内容】
【００１４】
このコネクタプラグでは、コネクタプラグが装着されるコネクタソケットに対して、押圧板の係止爪を適切に近づけると共に、押圧板の傾斜を筒状部に沿わせて配置して、押圧部分と筒状部の間に、必要な空間を確保することができる。 
【手続補正１２】
【補正対象書類名】明細書
【補正対象項目名】００１５
【補正方法】変更
【補正の内容】
【００１５】
本発明に係るコネクタプラグは、好適には、押圧部分は、プラグ本体部に装着されたラッチ部の、筒状部の軸方向に対して垂直な断面において、筒状部の中心点よりもプラグ凸部側に配置されている。 
【手続補正１３】
【補正対象書類名】明細書
【補正対象項目名】００１６
【補正方法】変更
【補正の内容】
【００１６】
このコネクタプラグでは、プラグ本体部の筒状部をユーザが握る、あるいは、掴む際、押圧部分に指が係る。従って、一対の押圧部分を押圧操作し易くなるので、人間工学的な観点から、コネクタプラグのコネクタソケットへの装着や、この装着を解除する際の操作性を向上させることができる。 
【手続補正１４】
【補正対象書類名】明細書
【補正対象項目名】００１７
【補正方法】変更
【補正の内容】
【００１７】
本発明に係るコネクタプラグは、好適には、押圧板における支持板との接続部分は、プラグ本体部に装着されたラッチ部の、筒状部の軸方向と垂直な断面において、筒状部の中心点から筒状部の半径分だけ径方向外側に離れた点を通過し、且つ、前記装着方向と平行な２つの直線間に配置されている。  
【手続補正１５】
【補正対象書類名】明細書
【補正対象項目名】００１９
【補正方法】変更
【補正の内容】
【００１９】
本発明に係るコネクタプラグは、好適には、ラッチ挿入溝は、プラグ凸部における筒状部と接続する根元部分において、筒状部の軸方向に沿って形成されている。 
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
本発明に係るコネクタプラグでは、一対の支持板が一体で構成されているため、一対の支持板を別体で構成した場合と比べて部品点数を減らすことができるので、コネクタプラグの組立性を向上させることができる。その結果、コネクタプラグの施工が簡単になり、その作業性を向上させることができる。また、一対の支持板を一体で構成した方が、別体で構成した場合と比べて、挿入部分をラッチ挿入溝に挿入した際に、ラッチをプラグ凸部に対してより強固に固定することができる。
【手続補正１８】
【補正対象書類名】明細書
【補正対象項目名】００２３
【補正方法】変更
【補正の内容】
【００２３】
本発明に係るコネクタプラグは、好適には、ラッチ部は、プラグ本体部よりも軟質な材料を用いて構成される。 
【手続補正１９】
【補正対象書類名】明細書
【補正対象項目名】００２５
【補正方法】変更
【補正の内容】
【００２５】
本発明に係るコネクタプラグは、好適には、一対の支持板における挿入部分の接続部分と反対側の先端部には、前記装着方向に突出した突出片が形成されており、ラッチ挿入溝の奥部には、前記装着方向に窪んだ凸形状を有しており、突出片が挿入されるとともに、突出片が前記装着方向と垂直な方向に関してプラグ凸部から遠ざかる方向に移動することを規制する規制溝が形成されている。 
【手続補正２０】
【補正対象書類名】明細書
【補正対象項目名】００２７
【補正方法】変更
【補正の内容】
【００２７】
本発明の参考例に係るコネクタ構造は、上記コネクタプラグのプラグ凸部をコネクタソケットのソケット凹部に挿入可能なコネクタ構造であって、ソケット凹部は、コネクタプラグのコネクタソケットへの装着時に、押圧板の係止爪と係合する係合爪を有する。
第３の発明に係る照明装置は、上記コネクタプラグを有する照明ランプと、上記コネクタプラグが装着されるコネクタソケットを有するベース部材とを備えている。 
【手続補正２１】
【補正対象書類名】明細書
【補正対象項目名】００２８
【補正方法】変更
【補正の内容】
【００２８】
上記コネクタ構造及び上記照明装置では、上記コネクタプラグと同様の効果を得ることができる。
【手続補正２２】
【補正対象書類名】明細書
【補正対象項目名】００４１
【補正方法】変更
【補正の内容】
【００４１】
（押圧板）
図５及び図１２に示されるように、一対の押圧板３３は、その両端部にユーザによって押圧操作される押圧爪３７ａ等からなる押圧部分３７と、コネクタプラグ４のコネクタソケット５への係止のため互いに対向する方向に突出する係止爪３８ａとを有している。また、一対の押圧板３３は、コネクタソケット５から遠ざかる方向に関して、広がるように傾斜して形成されている。詳細には、一対の押圧板３３は、接続部分３６と、押圧部分３７と、係止部分３８の３つの部位で構成されている。接続部分３６は、一対の支持板３４の挿入部分３９と反対側の端部であって、押圧部分３７と係止部分３８とを接続する部位である。この接続部分３６は、図５に示されるように、プラグ本体部４ａに装着されたラッチ部２５の筒状部２１の軸方向と垂直な断面において、円柱形状の筒状部２１の中心点Ｃから筒状部２１の半径Ｒ分だけ径方向外側に離れた点を通過し、且つ、プラグ凸部２９の延在方向と平行な２つの直線Ｌ１、Ｌ２間に配置されている。
【手続補正２３】
【補正対象書類名】明細書
【補正対象項目名】００４２
【補正方法】変更
【補正の内容】
【００４２】
押圧部分３７は、ユーザによって押圧操作される押圧爪３７ａ等からなる。また、押圧部分３７は、ユーザによって把持されるとともに、押圧操作される押圧爪３７ａが形成された部位であって、図５に示されるように、プラグ凸部２９の軸方向に関してラッチ挿入溝３２から遠ざかるように延在している。この押圧部分３７は、図５に示されるように、プラグ本体部４ａに装着されたラッチ部２５の筒状部２１の軸方向と垂直な断面において、筒状部２１の中心点Ｃよりもプラグ凸部２９の側に配置されている。また、上述した押圧爪３７ａは、図６に示されるように、押圧部分３７の接続部分３６と反対側の先端部に形成されており、筒状部２１から遠ざかる方向に突形状を有している。これによって、ユーザによって把持される際、指に係ることで、押圧部分３７を滑ることなく把持することができる。
【手続補正２４】
【補正対象書類名】明細書
【補正対象項目名】００４３
【補正方法】変更
【補正の内容】
【００４３】
係止部分３８は、コネクタプラグ４のコネクタソケット５への係止のための係止爪３８ａが形成された部位であって、図５に示されるように、接続部分３６からプラグ凸部２９の軸方向に関してプラグ凸部２９の先端に近づくように延在している。また、上述した係止爪３８ａは、図６に示されるように、係止部分３８の接続部分３６と反対側の先端部に形成されている。
【手続補正２５】
【補正対象書類名】明細書
【補正対象項目名】００４４
【補正方法】変更
【補正の内容】
【００４４】
（支持板）
一対の支持板３４は、プラグ本体部４ａへの支持部分から、コネクタソケット５から遠ざかる方向に関して広がるように傾斜して形成されている。より詳細には、一対の支持板３４は、外部からの押圧によって弾性変形可能であって、図６に示されるように、挿入部分３９及び突出部分４０の２つの部位で構成されている。挿入部分３９は、ラッチ部２５のプラグ本体部４ａへの装着時に、ラッチ挿入溝３２に挿入される部位である。図５に示されるように、ラッチ挿入溝３２に挿入された挿入部分３９の接続部分３６と反対側の先端部には、プラグ凸部２９の軸方向に関して筒状部２１から遠ざかる方向に突出した突出片３９ａが形成されている。この突出片３９ａは、上述したラッチ挿入溝３２の奥部に形成した規制溝３２ａに挿入される部位である。図５に示されるように、規制溝３２ａに挿入された突出片３９ａは、この規制溝３２ａが障害となって、プラグ凸部２９の軸方向と垂直な方向に関してプラグ凸部２９から遠ざかる方向に移動することが規制される。また、突出片３９ａは、図６に示されるように、後に詳しく説明する接続板３５から遠ざかる方向に先細りの形状を有している。これにより、ラッチ挿入溝３２に挿入部分３９を挿入し易くなっている。
【手続補正２６】
【補正対象書類名】明細書
【補正対象項目名】００５９
【補正方法】変更
【補正の内容】
【００５９】
[本実施形態のコネクタプラグ及びコネクタ構造の特徴]
以上、本実施形態のコネクタプラグ及びコネクタ構造では、ユーザによって押圧操作される押圧部分３７を一端に設けた押圧板３３を備え、押圧板３３に接続される支持板３４は、ラッチ挿入溝３２に挿入された挿入部分３９（プラグ本体部４ａへの支持部分）から、装着方向と反対方向（コネクタソケット５から遠ざかる方向）に関して広がるように傾斜して形成されているので、押圧板３３における支持板３４との接続部分３６を、ユーザによって押圧操作される押圧部分３７側に寄せることができる。すなわち、支持板３４がコネクタプラグ４のコネクタソケット５への装着方向に対して垂直な方向に延在するような場合と比べて、係止爪３８ａの変位量を大きくすることができる。より具体的には、係止部分３８の延在方向に関する距離を長く確保できる。そのため、プラグ凸部２９の軸方向に垂直な方向への係止爪３８ａの変位量を大きくすることができる。その結果、係止爪３８ａを大きくあるいは鋭角を持った形状とすることが容易であり、確実なコネクタプラグ４の装着が行え落下防止等、安全性の高いコネクタプラグ４を提供することができる。
【手続補正２７】
【補正対象書類名】明細書
【補正対象項目名】００６０
【補正方法】変更
【補正の内容】
【００６０】
また、押圧板３３他端の係止爪３８ａが互いに対向する方向に突出しているので、コネクタプラグ４を装着方向と反対方向に引っ張っても、支点Ｆｕと作用点Ａｃの間の距離を一定に保とうとする力が作用し、コネクタソケット５側に向かって食い込もうとする。これによって、コネクタプラグ４がコネクタソケット５から外れることをさらに強固に阻止できる。
【手続補正２８】
【補正対象書類名】明細書
【補正対象項目名】００６１
【補正方法】変更
【補正の内容】
【００６１】
さらに、押圧板３３に接続する支持板３４は、ラッチ挿入溝３２に挿入された挿入部分３９（プラグ本体部４ａへの支持部分）から、装着方向と反対方向（コネクタソケット５から遠ざかる方向）に関して広がるように傾斜して形成されているので、支持板３４がプラグ本体部４ａのコネクタソケット５への装着方向に対して垂直な方向に延在するような場合と比べて、支持板３４の長さを長くすることができ、支持板３４の弾性変位量を増加させ、支持板３４をより撓み易くできる。より具体的には、突出部分４０の延在方向に関する距離を長く確保できるため、突出部分４０の弾性変位量の増加により、撓み易くできる。その結果、コネクタプラグのコネクタソケットへの装着や、この装着を解除する際の操作性を向上させることができる。
【手続補正２９】
【補正対象書類名】明細書
【補正対象項目名】００６３
【補正方法】変更
【補正の内容】
【００６３】
また、本実施形態のコネクタプラグ及びコネクタ構造では、押圧板３３は、コネクタソケット５から遠ざかる方向に関して広がるように傾斜して形成されているので、コネクタプラグ４が装着されるコネクタソケット５の係合爪４１ａに対して、押圧板３３の係止爪３８ａを適切に近づけると共に、押圧板３３の傾斜を筒状部２１に沿わせて配置して、ユーザによって押圧操作される押圧部分３７と筒状部２１の間に、押圧部分３７を押圧操作させるために必要な空間を確保することができる。
【手続補正３０】
【補正対象書類名】明細書
【補正対象項目名】００６４
【補正方法】変更
【補正の内容】
【００６４】
また、本実施形態のコネクタプラグ及びコネクタ構造では、ユーザによって押圧操作される押圧部分３７が筒状部２１の中心点Ｃよりもプラグ凸部２９側に配置されているので、プラグ本体部４ａの筒状部２１をユーザが握る、あるいは、掴む際、押圧部分３７に指が係る。従って、一対の押圧部分３７を押圧操作し易くなるので、人間工学的な観点から、コネクタプラグ４のコネクタソケット５への装着や、この装着を解除する際の操作性を向上させることができる。特に、両端にコネクタプラグ４を有する照明ユニット２の場合、両端のコネクタプラグ４を両手で握って着脱操作を行うことが、人間の動作から鑑みると、自然な動作であるため、照明ユニット２の取付け、または、取り外しの操作性が向上するとともに、照明ユニット２を安定して保持できるため、操作時における照明ユニット２の落下を防止できる。
【手続補正３１】
【補正対象書類名】明細書
【補正対象項目名】００７３
【補正方法】削除
【補正の内容】
【手続補正３２】
【補正対象書類名】明細書
【補正対象項目名】００７６
【補正方法】変更
【補正の内容】
【００７６】
上述した実施形態では、筒状部２１を円柱形状に形成し、上記断面の形状が円形状である例について述べたが、本発明はかかる実施形態に限定されず、筒状部２１は任意の形状に構成可能であり、上記断面の形状が楕円形状や多角形状であってもよい。